(57)【要約】【課題】  平坦な床面において安定した状態で自立させることができる人形玩具の足部構造を提供する。【解決手段】  人形玩具の足裏を形成する足底部及び人形玩具の足関節を形成する足関節部によって構成される足首骨格部材と該足首骨格部材を被覆する足首外皮部材とからなる足部を有する一対の脚部を備えた人形玩具の足部構造において、前記足部の足首骨格部材を構成する足底部の足裏面に対して踵側に突起部を設けると共に爪先側に対して足幅方向に分かれた少なくとも二つの突起部を設け、足首外皮部材の足裏面に足首骨格部材の足底部に設けられた突起部が密着することによって足首外皮部材の足裏面形状が足首骨格部材の足底部に設けられた突起部に合わせて凹凸状に変形するように構成する。【選択図】  図１
2006122249.tif 000002
【特許請求の範囲】
【請求項１】
人形玩具の足裏を形成する足底部及び人形玩具の足関節を形成する足関節部によって構成される足首骨格部材と該足首骨格部材を被覆する足首外皮部材とからなる足部を有する一対の脚部を備えた人形玩具の足部構造において、前記足部の足首骨格部材を構成する足底部の足裏面には踵側に突起部が設けられていると共に爪先側に足幅方向に分かれて少なくとも二つの突起部が設けられており、足首外皮部材の足裏面に足首骨格部材の足底部に設けられた突起部が密着することによって足首外皮部材の足裏面形状が足首骨格部材の足底部に設けられた突起部に合わせて凹凸状に変形することを特徴とする人形玩具の足部構造。
【請求項２】
足首関節部材が足底部における踵側の突起部と爪先側の突起部との間に位置付けられている請求項１記載の人形玩具。
【請求項３】
請求項１又は２記載の足部構造を備えた人形玩具。
【発明の詳細な説明】
【技術分野】
【０００１】
本発明は、人形玩具の足部構造及び当該足部構造を備える人形玩具に関するものである。
【背景技術】
【０００２】
周知の通り、人体を模した人形玩具は、その身長に比べて足部が小さく、特に、硬質素材によって形成された人形玩具においては、靴などの履物を履かせ易くするために足部を極端に小さく形成する必要があるため、床面に接地される足部の足裏面が非常に狭くなり、自立させることができず、通常はスタンドを用いて立たせていた。
【０００３】
一方、人体に近い質感を再現することができる人形玩具として近年注目を集めている硬質素材によって形成された骨格部材を軟質素材によって形成された外皮部材によって被覆した構造の人形玩具においては、軟質素材によって形成された外皮部材の形状を履物に合わせて変形させることができるので、足部を極端に小さく形成する必要はないが、床面と接地する足部の足裏面が軟質素材によって形成された外皮部材によって被覆されているため、自立させることができたとしても安定性がなかった。
【０００４】
そこで、スタンドを用いることなく、安定した状態で自立させることができるように工夫を施した人形玩具の足部構造として、次のものが提供されている。
【０００５】
例えば、後出特許文献１には、足部外皮の開口縁が嵌着される足部外皮嵌着部と、下脚外皮の下端開口縁が嵌着される下脚外皮下端嵌着部とを有すると共に、該両者の連結部にて回動可能な構造を有し、さらに足部外皮嵌着部の底面には、足部外皮内に内装されると共に、その足部外皮内の指先方向へと伸びる足底部を一体的に備え、足底部の前方を凹設して磁石配設空間を形成し、この空間に磁石を受け込み固着した人形玩具の足首構造が開示されている。
【０００６】
ところが、前記特許文献１開示の人形玩具の足首構造においては、自立させるための手段として、人形玩具の足底部に設けられた磁性体と床面に設けられた磁性体との間に働く引力を利用しているため、床面に磁性体が設けられていない場合には、引力が働かずに自立させることができないという問題点があった。また、磁性体を使用しているため、電化製品等に近づけると、当該電化製品が磁気の影響を受けて故障してしまうという問題点もあった。
【特許文献１】特開２００４−２２２９３５  第８頁及び第９頁、図３
【発明の開示】
【発明が解決しようとする課題】
【０００７】
そこで、本発明は、平坦な床面において安定した状態で自立させることができる人形玩具の足部構造を得ることを技術的課題として、その具現化をはかるべく、試作・実験を繰り返した結果、人形玩具の足裏を形成する足底部及び人形玩具の足関節を形成する足関節部によって構成される足首骨格部材と該足首骨格部材を被覆する足首外皮部材とからなる足部を有する一対の脚部を備えた人形玩具の足部構造において、前記足部の足首骨格部材を構成する足底部の足裏面に対して踵側に突起部を設けると共に爪先側に対して足幅方向に分かれた少なくとも二つの突起部を設ければ、足首外皮部材の足裏面に足首骨格部材の足底部に設けられた突起部が密着することによって足首外皮部材の足裏面形状が足首骨格部材の足底部に設けられた突起部に合わせて凹凸状に変形し、これによって、床面に対して伝わる人形玩具の加重が足部の足裏面のいたるところに分散されることなく、足部の足裏面の突起部が設置された箇所に集中するため、人形玩具を床面に対して安定した状態で自立させることができるという刮目すべき知見を得、前記技術的課題を達成したものである。
【課題を解決するための手段】
【０００８】
前記技術的課題は、次の通りの本発明によって解決できる。
【０００９】
即ち、本発明に係る人形玩具の足部構造は、人形玩具の足裏を形成する足底部及び人形玩具の足関節を形成する足関節部によって構成される足首骨格部材と該足首骨格部材を被覆する足首外皮部材とからなる足部を有する一対の脚部を備えた人形玩具の足部構造において、前記足部の足首骨格部材を構成する足底部の足裏面には踵側に突起部が設けられていると共に爪先側に足幅方向に分かれて少なくとも二つの突起部が設けられており、足首外皮部材の足裏面に足首骨格部材の足底部に設けられた突起部が密着することによって足首外皮部材の足裏面形状が足首骨格部材の足底部に設けられた突起部に合わせて凹凸状に変形するものである。
【００１０】
また、本発明は、前記人形玩具の足部構造において、足首関節部材が足底部における踵側の突起部と爪先側の突起部との間に位置付けられているものである。
【００１１】
また、本発明に係る人形玩具は、前記いずれかの足部構造を備えたものである。
【発明の効果】
【００１２】
本発明によれば、足首骨格部材を構成する足底部の足裏面に対して踵側に突起部を設けると共に、爪先側に足幅方向に分かれた少なくとも二つの突起部を設けたので、足部の足裏面を床面に接地させた際に、足首外皮部材の足裏面に足首骨格部材の足底部に設けられた突起部が密着し、これに伴って、足首外皮部材の足裏面形状が足首骨格部材の足底部に設けられた突起部に合わせて凹凸状に変形するので、床面に対して伝わる人形玩具の加重が足部の足裏面のいたるところに分散されることなく、足部の足裏面にける突起部が設置された箇所に集中されるため、人形玩具を床面に対して安定した状態で自立させることができる。
【００１３】
従って、本発明の産業上利用性は非常に高いといえる。
【発明を実施するための最良の形態】
【００１４】
以下、本発明の実施の形態を図面に基づき説明する。
【００１５】
実施の形態
【００１６】
図１は本実施の形態に係る人形玩具の足部を示した斜視図である。図２は図１に示す足部を構成する足部骨格部材を示した説明図であり、図２の（ａ）は側面図であり、図２の（ｂ）は底面図であり、図２の（ｃ）は正面図であり、図２の（ｄ）は断面図である。図３は図１に示す足部の足裏面が床面に接地する前後の状態を示した部分断面図であり、図３の（ａ）は接地する前の状態を示した側面図であり、図３の（ｂ）は接地する前の状態を示した正面図であり、図３の（ｃ）は接地した後の状態を示した側面図であり、図３の（ｄ）は接地した後の状態を示した正面図である。図４は両脚部における足部の足裏面を床面に接地させた状態における人形玩具の重心位置を示した説明図である。これらの図において、１は、足部骨格部材２と、足部骨格部材２を被覆する足部外皮部材３とからなる人形玩具の足部であり、足部骨格部材２には、脚部骨格部材４が回転可能に軸止めされている。そして、足部骨格部材２は、人形玩具の足裏を形成する足底部５と、人形玩具の足関節を形成する足関節部６とからなっている。
【００１７】
足部骨格部材２の足底部５は、図２の（ａ）及び図２の（ｂ）に示すように、人形玩具の指の付け根に位置付けられる平面視五角形状の前部底板７と、人形玩具の土踏まずから踵にかけて伸びるように位置付けられる平面視略矩形状の後部底板８と、両底板７，８に対して前後方向に伸びる中央線上から足表側へ立設される足表支持体９及び足裏側へ立設される足裏支持体１０からなる前後支持体１１と、前部底板７の足裏側に対して足幅方向に伸びて両端部に突起部１２，１２を有する正面視逆凹状の幅支持体１３とから構成されている（図２の（ｃ）参照）。そして、前部底板７は、後部底板８よりも幅広に形成されていると共に、前後支持体１１に対して後部底板８よりも下段に位置付けられている。
【００１８】
前後支持体１１の足表支持体９は、人形玩具の足関節に位置する部分が後部底板８に至るまで切り欠かれて前後に二分されており、足表支持体９の切り欠かれた部分に位置する後部底板８の足表側には、先端部周面にリブ１４が形成された円柱状の連結軸１５が設けられている（図２の（ｄ）参照）。また、前後支持体１１の足裏支持体１０は、側面視逆凹状に形成されており、人形玩具の爪先側に位置する突起部１７が幅支持体１３の両突起部１２，１２よりも低い（幅支持体１３寄りに位置する）頂点を有している。
【００１９】
足関節部６は、円柱部１８と該円柱部１８の上端に設けられる球体部１９とからなり、円柱部１８には、図２の（ｄ）に示すように、足底部５の後部底板８に設けられた連結軸１５が嵌る形状に形成された軸受け孔２０が形成されており、球体部１９には、縦割り二分するリング状縦溝２１が形成されており、その中心には中心軸２２が設けられている。なお、足関節部６は、球体部１９はリング状縦溝２１を縦割り二分するように分割でき、球体部１９に設けられた中心軸２２内を貫くように嵌め込まれるボルト２３によってネジ止めできるようになっている。また、足関節部６の球体部１９に形成されたリング状縦溝２１には、脚部骨格部材４に設けられたリング体２４が回転可能に軸止めされる。
【００２０】
足部外皮部材３は、図１に示すように、人体の足を模した外観形状に形成された中空体であり、人形玩具の足首に位置する部分に足部骨格部材２を出し入れするための開口２５が設けられている。
【００２１】
次に、本実施の形態に係る足部の使用状態について説明する。
【００２２】
先ず、図３の（ａ）に示すように、足部１の足裏面が床面２６に接地していない状態では、足部骨格部材２の足底部５における足裏支持体１０及び幅支持体１３に形成された突起部１２，１２，１６が足部外皮部材３の足裏内面に接触しておらず、足部外皮部材３の足裏面における足裏支持体１０の下方に位置する部分が正面視逆凸状に弛んだ状態となっている（図３の（ｂ）参照）。
【００２３】
次に、図３の（ｃ）に示すように、足部１の足裏面が床面２６に接地した状態になると、足部骨格部材２の足底部５における足裏支持体１０及び幅支持体１３に形成された突起部１２，１２，１６が足部外皮部材３の足裏内面に接触すると共に、足部外皮部材３の足裏面が足裏支持体１０及び幅支持体１３の形状に合わせて凹凸状に変形し、これにより、足部１の足裏面に加わる重量が足部外皮部材３の足裏面における突起部１２，１２，１６と接触した点を介して床面２６に伝わり、足部１が床面２６に対して三つの支点２７で支持された状態となる。この時、図４に示すように、両脚部における足部１を支持する各支点２７を結んでなる枠内に人形玩具の重心２８を位置付ければ、人形玩具を安定した状態で自立させることができる。
【００２４】
なお、骨格部材はアルミニウム、真鍮、ステンレス綱等の金属やウレタン樹脂、アクリル樹脂、ＡＢＳ樹脂、ナイロン樹脂、ポリカーボネート樹脂、ポリプロピレン樹脂、スチロール樹脂、ポリ塩化ビニール樹脂、ポリスチレン樹脂、ＦＲＰ樹脂等の硬質樹脂材料を使用して成型すればよく、外皮部材は、ポリ塩化ビニール樹脂、ウレタン樹脂、エラストマー、合成ゴム等の軟質樹脂材料を使用して成型すればよい。なお、前記軟質樹脂材料としてはJIS K6301準拠の硬度37〜54のものが好ましい。
【図面の簡単な説明】
【００２５】
【図１】実施の形態に係る人形玩具の足部を示した斜視図である。
【図２】図１に示す足部の足部骨格部材を示した説明図である。
【図３】図１に示す足部の足裏面が床面に接地する前後の状態を示した部分断面図である。
【図４】両脚部における足部の足裏面を床面に接地させた状態における人形玩具の重心位置を示した説明図である。
【符号の説明】
【００２６】
１  足部
２  足部骨格部材
３  足部外皮部材
４  脚部骨格部材
５  足底部
６  足関節部
７  前部底板
８  後部底板
９  足表支持体
１０  足裏支持体
１１  前後支持体
１２  突起部
１３  幅支持体
１４  リブ
１５  連結軸
１６，１７  突起部
１８  円柱部
１９  球体部
２０  軸受け孔
２１  リング状縦溝
２２  中心軸
２３  ボルト
２４  リング体
２５  開口
２６  床面
２７  支点
２８  重心
【図１】
2006122249.tif 000003
【図２】
2006122249.tif 000004
【図３】
2006122249.tif 000005
【図４】
2006122249.tif 000006